【手続補正書】
【提出日】平成19年1月16日(2007.1.16)
【手続補正１】
【補正対象書類名】明細書
【補正対象項目名】特許請求の範囲
【補正方法】変更
【補正の内容】
【特許請求の範囲】
【請求項１】
線状体と、順逆両方向に回転可能で、順方向へ回転すると前記線状体を巻き取る一方、該巻き取った線状体が引っ張られると逆方向へ回転して前記線状体を繰り出すリールと、該リールの少なくとも前記逆方向への回転を阻止するロック状態、または該リールの前記逆方向への回転を阻止しないアンロック状態のいずれかに切り替わるロック機構と、前記リールおよび前記ロック機構が組み込まれたケースとを備えてなり、本体の正面側に開閉可能な前枠を備えてなる遊技機に対し、前記ケースまたは該ケースから引き出された前記線状体の一端のいずれか一方が前記遊技機の本体側、他方が前記前枠側にそれぞれ固定され、前記前枠を閉じた際に前記リールで前記線状体を巻き取って前記ロック機構を前記ロック状態にすることによって前記前枠を開放不能にする遊技機用の不正開放防止装置であって、
前記線状体の切断を検知する断線検知手段を備えており、
前記断線検知手段は、
固定接点と、
外力を受けて変位する構造で、当該変位に伴って前記固定接点と接触または離間する可動接点と、
前記線状体が切断された状態にあるか否かに応じて異なる位置へ変位する構造で、当該変位に伴って前記可動接点に対して付与する外力を変化させることにより、前記可動接点および前記固定接点の接触／離間をいずれか一方から他方へ切り替える外力付与部材と
を備えたことを特徴とする遊技機用の不正開放防止装置。
【請求項２】
前記可動接点は、所定以上の外力を受ける状態にある場合は第１の位置に変位した状態が維持される一方、前記所定以上の外力を受けない状態になった場合は前記第１の位置から第２の位置へと変位する構造で、前記第１，第２の位置のうち、いずれか一方に変位すると前記固定接点と接触し、他方に変位すると前記固定接点から離間する構造とされ、
前記外力付与部材は、二位置間を変位可能、且つ、前記二位置のいずれかへ変位したときに、前記可動接点に対して前記所定以上の外力を作用させる部材であり、前記二位置の内、一方の位置から他方の位置へ変位する方向へ付勢された状態にあり、前記線状体が切断されていない場合には、前記線状体との当接に伴って前記他方の位置への変位が阻止されるため、前記付勢された状態にあるにもかかわらず前記一方の位置に保持される一方、前記線状体が切断された場合には、前記線状体が前記リールに巻き取られて前記線状体との当接が解除されるため、前記他方の位置へ変位する構造とされている
ことを特徴とする請求項１に記載の遊技機用の不正開放防止装置。
【請求項３】
前記外力付与部材は、前記可動接点よりも大きく変位する構造とされている
ことを特徴とする請求項１または請求項２に記載の遊技機用の不正開放防止装置。
【請求項４】
前記外力付与部材は、前記線状体の直径よりも大きく変位する構造とされている
ことを特徴とする請求項１〜請求項３のいずれかに記載の遊技機用の不正開放防止装置。
【請求項５】
前記ロック機構は、
前記リールに固定されて前記リールとともに回転する爪車と、
前記爪車外周部の爪に引っかかる係止位置、または前記爪車外周部の爪に引っかからない係止解除位置へ変位可能で、前記係止位置へ変位すると前記爪車の前記逆方向への回転を規制する状態になる回転規制部材と、
前記回転規制部材を前記係止解除位置から前記係止位置へと変位させる方向へ付勢するバネと、
非励磁状態においては前記バネからの付勢力を受けた前記回転規制部材が前記前記係止位置へ変位するのを妨げない一方、励磁状態にすると前記回転規制部材に対して前記バネとは逆方向の付勢力を与えることにより、前記回転規制部材を前記係止位置から前記係止解除位置へと変位させるソレノイドと
を備えることを特徴とする請求項１〜請求項４のいずれかに記載の遊技機用の不正開放防止装置。
【請求項６】
前記ケースの外部に、前記断線検知手段によって前記線状体の切断を検知した場合に、その旨を遊技場の係員に通知する通知手段
を備えたことを特徴とする請求項１〜請求項５のいずれかに記載の遊技機用の不正開放防止装置。
【請求項７】
前記通知手段は、遊技場において遊技機毎に設けられた呼出ランプが備える発光手段または数値表示手段を、前記線状体の切断報知用として兼用したものである
ことを特徴とする請求項６に記載の遊技機用の不正開放防止装置。
【請求項８】
前記通知手段は、コンピュータのディスプレイに、前記線状体の切断に関する情報を表示するように構成されたものである
ことを特徴とする請求項６に記載の遊技機用の不正開放防止装置。
【手続補正２】
【補正対象書類名】明細書
【補正対象項目名】０００９
【補正方法】変更
【補正の内容】
【０００９】
【課題を解決するための手段、および発明の効果】
上記目的を達成するために完成された本発明は、次のような構成を備えるものである。
まず、請求項１に記載の遊技機用の不正開放防止装置は、線状体と、順逆両方向に回転可能で、順方向へ回転すると前記線状体を巻き取る一方、該巻き取った線状体が引っ張られると逆方向へ回転して前記線状体を繰り出すリールと、該リールの少なくとも前記逆方向への回転を阻止するロック状態、または該リールの前記逆方向への回転を阻止しないアンロック状態のいずれかに切り替わるロック機構と、前記リールおよび前記ロック機構が組み込まれたケースとを備えてなり、本体の正面側に開閉可能な前枠を備えてなる遊技機に対し、前記ケースまたは該ケースから引き出された前記線状体の一端のいずれか一方が前記遊技機の本体側、他方が前記前枠側にそれぞれ固定され、前記前枠を閉じた際に前記リールで前記線状体を巻き取って前記ロック機構を前記ロック状態にすることによって前記前枠を開放不能にする遊技機用の不正開放防止装置であって、前記線状体の切断を検知する断線検知手段を備えており、前記断線検知手段は、固定接点と、外力を受けて変位する構造で、当該変位に伴って前記固定接点と接触または離間する可動接点と、前記線状体が切断された状態にあるか否かに応じて異なる位置へ変位する構造で、当該変位に伴って前記可動接点に対して付与する外力を変化させることにより、前記可動接点および前記固定接点の接触／離間をいずれか一方から他方へ切り替える外力付与部材とを備えたことを特徴とする。
また、請求項２に記載の遊技機用の不正開放防止装置は、請求項１に記載の遊技機用の不正開放防止装置において、前記可動接点は、所定以上の外力を受ける状態にある場合は第１の位置に変位した状態が維持される一方、前記所定以上の外力を受けない状態になった場合は前記第１の位置から第２の位置へと変位する構造で、前記第１，第２の位置のうち、いずれか一方に変位すると前記固定接点と接触し、他方に変位すると前記固定接点から離間する構造とされ、前記外力付与部材は、二位置間を変位可能、且つ、前記二位置のいずれかへ変位したときに、前記可動接点に対して前記所定以上の外力を作用させる部材であり、前記二位置の内、一方の位置から他方の位置へ変位する方向へ付勢された状態にあり、前記線状体が切断されていない場合には、前記線状体との当接に伴って前記他方の位置への変位が阻止されるため、前記付勢された状態にあるにもかかわらず前記一方の位置に保持される一方、前記線状体が切断された場合には、前記線状体が前記リールに巻き取られて前記線状体との当接が解除されるため、前記他方の位置へ変位する構造とされていることを特徴とする。
また、請求項３に記載の遊技機用の不正開放防止装置は、請求項１または請求項２に記載の遊技機用の不正開放防止装置において、前記外力付与部材は、前記可動接点よりも大きく変位する構造とされていることを特徴とする。
また、請求項４に記載の遊技機用の不正開放防止装置は、請求項１〜請求項３のいずれかに記載の遊技機用の不正開放防止装置において、前記外力付与部材は、前記線状体の直径よりも大きく変位する構造とされていることを特徴とする。
また、請求項５に記載の遊技機用の不正開放防止装置は、請求項１〜請求項４のいずれかに記載の遊技機用の不正開放防止装置において、前記ロック機構は、前記リールに固定されて前記リールとともに回転する爪車と、前記爪車外周部の爪に引っかかる係止位置、または前記爪車外周部の爪に引っかからない係止解除位置へ変位可能で、前記係止位置へ変位すると前記爪車の前記逆方向への回転を規制する状態になる回転規制部材と、前記回転規制部材を前記係止解除位置から前記係止位置へと変位させる方向へ付勢するバネと、非励磁状態においては前記バネからの付勢力を受けた前記回転規制部材が前記前記係止位置へ変位するのを妨げない一方、励磁状態にすると前記回転規制部材に対して前記バネとは逆方向の付勢力を与えることにより、前記回転規制部材を前記係止位置から前記係止解除位置へと変位させるソレノイドとを備えることを特徴とする。
また、請求項６に記載の遊技機用の不正開放防止装置は、請求項１〜請求項５のいずれかに記載の遊技機用の不正開放防止装置において、前記ケースの外部に、前記断線検知手段によって前記線状体の切断を検知した場合に、その旨を遊技場の係員に通知する通知手段を備えたことを特徴とする。
また、請求項７に記載の遊技機用の不正開放防止装置は、請求項６に記載の遊技機用の不正開放防止装置において、前記通知手段は、遊技場において遊技機毎に設けられた呼出ランプが備える発光手段または数値表示手段を、前記線状体の切断報知用として兼用したものであることを特徴とする。
さらに、請求項８に記載の遊技機用の不正開放防止装置は、請求項６に記載の遊技機用の不正開放防止装置において、前記通知手段は、コンピュータのディスプレイに、前記線状体の切断に関する情報を表示するように構成されたものであることを特徴とする。
【手続補正３】
【補正対象書類名】明細書
【補正対象項目名】００１３
【補正方法】変更
【補正の内容】
【００１３】
断線検知手段は、固定接点と、外力を受けて変位する構造で、当該変位に伴って前記固定接点と接触または離間する可動接点と、前記線状体が切断された状態にあるか否かに応じて異なる位置へ変位する構造で、当該変位に伴って前記可動接点に対して付与する外力を変化させることにより、前記可動接点および前記固定接点の接触／離間をいずれか一方から他方へ切り替える外力付与部材とを備えるものとされている。
より具体的な構造を例示すれば、例えば、前記可動接点は、所定以上の外力を受ける状態にある場合は第１の位置に変位した状態が維持される一方、前記所定以上の外力を受けない状態になった場合は前記第１の位置から第２の位置へと変位する構造で、前記第１，第２の位置のうち、いずれか一方に変位すると前記固定接点と接触し、他方に変位すると前記固定接点から離間する構造とされ、前記外力付与部材は、二位置間を変位可能、且つ、前記二位置のいずれかへ変位したときに、前記可動接点に対して前記所定以上の外力を作用させる部材であり、前記二位置の内、一方の位置から他方の位置へ変位する方向へ付勢された状態にあり、前記線状体が切断されていない場合には、前記線状体との当接に伴って前記他方の位置への変位が阻止されるため、前記付勢された状態にあるにもかかわらず前記一方の位置に保持される一方、前記線状体が切断された場合には、前記線状体が前記リールに巻き取られて前記線状体との当接が解除されるため、前記他方の位置へ変位する構造とされているとよい。
【手続補正４】
【補正対象書類名】明細書
【補正対象項目名】００３７
【補正方法】変更
【補正の内容】
【００３７】
以上、本発明の一実施形態について説明したが、本発明は上記一実施形態に限らず、上記とは別の種々の形態で実施することができる。
例えば、上記実施形態では、第１リミットスイッチ１９によってワイヤ５の断線を検知するように構成してあったが、これ以外の手法でワイヤの断線を検知してもよい。